(57)【要約】      （修正有）【課題】スプーンのように簡易な構造でミノータイプのルアーの動きを実現し、回転して糸嵯れを生じさせることなく良く動くルアーを提供する。【解決手段】金属製などの細長いプレートに両側から対称的に括れた部分を設けて、その括れ部１付近にラインアイ２を配置する。そしてそのプレートからなるボディに適度な湾曲やあるいは凹凸の形状を施す。湾曲や凹凸を加減することにより、水中での動きを調節し演出する。また、ミノーに似せた形状とすることもできる。小型化が容易であり、小型化してもその動きが損なわれることがない。小型化することでむしろ激しく動く傾向がある。【選択図】図１
0003169176.tif 000002
【実用新案登録請求の範囲】
【請求項１】
およそ長方形を基本形とするプレートからなるボディで、長方形の長辺の途中に両側から対称的に括れさせた括れ部１を設け、すなわち長方形の長軸方向の途中に括れた部分を設け、括れ部１の付近にラインアイ２を配置したルアー。
【請求項２】
括れ部１を境とする長方形の二つの部分について、一方を頭部３、もう一方を胴部４と呼ぶとして、括れ部１付近でプレートを曲げて、ラインアイ２のある面が凸となるように胴部４に対して頭部３が反った形状とした請求項１に記載のルアー。
【請求項３】
括れ部１を境とする長方形の二つの部分について、一方を頭部３、もう一方を胴部４と呼ぶとして、括れ部１付近でプレートを曲げて、ラインアイ２のある面が凸となるように胴部４に対して頭部３が反った形状とし、さらに胴部４について、長軸方向の正面から見たときに弧を描くような形あるいはＵ字溝のような形に湾曲した形状とした請求項１に記載のルアー。
【考案の詳細な説明】
【技術分野】
【０００１】  本考案は釣り具のルアーに関する。
【背景技術】
【０００２】  本考案は釣り具のスプーンとリップ付きのミノータイプのルアーをその背景技術とする。プレート状の金属板に適度な凹凸を持たせて独特の動きを生むのがスプーンであるが、本考案は形状あるいはその成形の方法においてスプーンに似ていると思われる。またリップに相当する部分を有することとその動きの面からはミノータイプのルアーに似ている。
【考案の概要】
【考案が解決しようとする課題】
【０００３】  簡易な構造でミノータイプのルアーの動きを実現する。また、スプーンは回転して糸縒れを生じさせることが難点であったが、スプーンのようにシンプルな形状でありながら回転することなく、それでいて良く動くルアーを実現する。
【課題を解決するための手段】
【０００４】  金属製などの細長いプレートに両側から対称的に括れた部分を設けて、その括れ部１付近にラインアイ２を配置する。そしてそのプレートからなるボディに適度な湾曲やあるいは凹凸の形状を施す。湾曲や凹凸を加減することにより、水中での動きを調節し演出する。
【考案の効果】
【０００５】  スプーンのように簡易な構造でミノータイプのルアーの動きを実現する。また成形の方法はスプーンのようであるが、ミノーに似せた形状とすることもできる。その動きは極めて機敏であり、プラグ型のミノータイプのルアーを凌ぐものである。プレートのカットの形とその曲げ方を変化させることにより、ルアーのフォルムや動きのバリエイションも多様である。振動運動が基本的な動きであるが、ゆらゆらと揺れるような動きや、ガコガコとした不規則な動きなども作り出すことが容易にできる。
小型化が容易であることも、重要な利点であり、さらに小型化してもその動きが損なわれることがない。小型化することでむしろ激しく動く傾向がある。管理釣り場用の極小サイズから海の大物釣り用まで、対応可能である。
【図面の簡単な説明】
【０００６】
【図１】  本考案の斜視図
【図２】  本考案の側面図
【図３】  本考案の平面図
【図４】  本考案の正面図
【図５】  本考案の実施例を示す斜視図
【図６】  本考案の実施例を示す平面図
【図７】  本考案の別の実施例を示す平面図
【考案を実施するための形態】
【０００７】  縦長のプレートの縦方向の途中に細く括れた部分を設け、その括れた部分付近にラインアイを配置する。
およそ長方形のプレートを基本形として成形の手順を説明する。長方形の長軸方向の途中に両側から対称的に括れた部分を設ける。すなわち両方の長辺に楔形などの切り欠き部を設ける。細く括れた部分を括れ部１と呼ぶことにする。括れ部１を挟んで一方を頭部３、もう一方を胴部４と呼ぶこととする。頭部３は短かめ、胴部４は長めとする。そして括れ部１付近にラインアイ２を設ける。ラインアイ２を付けた面を上にした状態が、基本的なリトリーブ時の姿勢となる。そこで魚の姿勢にならってラインアイ２を付けた面を背側、その反対の面を腹側と呼ぶこととする。頭部３が腹側に反るような形になるように括れ部１付近で曲げる。すなわち、ラインアイ２を付けた面を上にしてプレートを水平に置いたとして、そこから頭部３が幾分か下を向くように曲げる。そして、胴部４の形について、胴部４を正面から見たときに腹側が凸の弧を描くような形状とする。水を流す樋のような形、あるいはＵ字溝のような形である。
さらに頭部３を湾曲させたり、ウエイトを付加したりすることで、水中での動きの調節やキャスタビリティの向上などを図ることができる。
【実施例】
【０００８】  図１から図４に示す。およそ長方形のプレートに括れ部１を設け、その括れ部１付近にラインアイ２を配置し、括れ部１の付近でボディを曲げて、ラインアイ２と反対の側に反った形状とする。さらに胴部４を曲面的な形状とする。図４に示すように、正面から見たときに弧を描くような形状とする。その形は、雨水などを流す樋に似ているかもしれない。そのとき、ラインアイ２のある面の側を凹面とする。
頭部３は、平面の形状とした場合が、動きが最も激しいと観察される。胴部４と同様に弧を描くような形に曲げるとルアーの動きを安定させることができる。この頭部３はいわばルアーのリップに相当する部分であり、大きさや形、角度を加減することでルアーの動きを設定することができる。
プレートの形状を長方形として説明したのであるが、長方形の四隅を丸めたような形、あるいは楕円形のような形としても、およそ同様の機能が得られる。
金属板で作った場合には、必ずしもウエイトは必要ではない。ウエイトを付加するなら、シート状のウエイトを張り付ける、あるいは固まり状のウエイトすなわち球形、半球形などの形のウエイトを取り付けるなどする。半球形のウエイトを胴部の中央付近、凸面側に配置すると動きを損なうことが少ない。ウエイトを付加することでガタガタと動くような独特の効果が生まれることもある。金属製に代えて樹脂製とした場合には、このようなウエイトが必要となる。またボディの場所によりプレートの厚みを変化させて重量バランスを加減することも可能と思われる。基本的に、本考案においては、プレートは薄いほうが動きが良い傾向が見られる。【０００９】  スイベルなどを介して回転ブレードを付加する。本考案においてはルアーの動く力が強力であるため、図１に示したボディ後端のフックアイ５にブレードを接続しても、ルアーの動きが完全に損なわれるということはないのであるが、背中側の中央付近に接続のためのループなどを設けて、そこにスイベルを接続すると、ルアー全体の動きも良く、また使い勝手も良いものとなる。この配置とすると、ブレードがルアーの動きを妨げる影響が少ない。
この場合、フックアイをボディの後端に配置することに代えて、胴部４腹側の中央付近に配置すると、ブレードとフックがからまることがない。胴部４が両者を隔てるものとして機能する。
ボディの激しい動きとブレードの回転により、魚に対するアピール力の強いルアーとなる。回転ブレードに代えて、プロペラとしてもよい。その場合、プロペラの回転の軸となるシャフトは、その両端をループ状として、一端をボディに可動的に接続し、逆の一端はフックアイとして用いる。【００１０】  図１から図４に示したタイプの胴部の凹面側にウエイトを配置して、重心が凹面側に来るようにする。胴部４の尾部末端寄りに球形などの形のウエイトを配置すると安定したバランスが得られる。この場合、水中において凹面を下にした姿勢となり、この状態からリトリーブすると、ルアーは水面に向かって上昇しながらゆらゆらとした動きをする。凸面側にフックを配置して、特にフックをダブルフックにしたり、シングルフックを背中側に固定したりするとウイードレス性に優れたものとなる。
胴部４を分割してジョイントタイプとするとゆらゆらとした動きがさらに強調されて魚に対して独特の効果を発揮することが期待できる。
このタイプは、首を振る傾向が顕著であり、胴部４末端のフックアイ５に負荷が掛かっても動きが妨げられることが少ない。したがって、回転ブレードあるいはプロペラを付加するのにも適した形状とも言える。
ウエイトをこの配置とした場合には、胴部４は平らな平面的な形状であってもルアーの動きは比較的安定したものとなる。あるいはさらに胴部４の曲げ方を逆にしても機能する。【００１１】  図５、図６に示す。胴部４の曲げ方を大きくしたタイプであり、正面から見たときに胴部４の形がＵ字型となる。図５、図６に示したものは角張った形状となっているが、曲げ方の加減で、様々な形状がありうる。形状も動きもミノータイプのルアーに近いものとなる。簡易な構造でありながら、従来のミノータイプのルアーよりも激しく動くことが観察される。特に、２センチ程度の極小サイズとした場合に、その動きの激しさは顕著である。また、ウエイトを付加して重くした場合にも、その動きが損なわれることが少ない。図５、図６に示したものは模式的な形状となっているが、実際にこの形状においても良く動き、そして釣れる。プレートの輪郭に丸みを持たせたり、曲げ方も丸みを持たせることで、さらにミノーに近いものとすることもできる。胴部を丸く曲げていくと、パイプに近い形となり、最終的にはパイプ状の形ともなる。
ボディが細長い場合には、比較的ゆったりとした動きとなり、ボディが短くなるにつれてその運動の振動数が高まっていく傾向がある。
金属製の場合、ウエイトは必ずしも必要ではない。ウエイトを設ける際には、ボディの下のほう、重心が下にくるように配置するのがよい。ロングキャストのためなどには重いほうが有利であるが、相当なウエイトを付加しても本考案は良く動く。重さにより動きが鈍る傾向に対しては、頭部を大型化することで対抗措置とできる。頭部を大型化しても安定性が失われることが少ない。胴部正面に水が当たることがないという形状に由来する一つの効果と思われる。
リップすなわち頭部３を大きく幅広にしてもバランスが崩れることがないのが、この形状の利点であるが、もちろんリップを小さくすることも可能である。頭部３が幅広である場合に上記の説明で括れと呼んだ部分が存在するのであるが、頭部３の幅が狭くなると括れと呼ぶべき形状ではなくなるかもしれない。【００１２】  テール６を設ける。図５、図６に示す。これは構造としては、頭部３と同様の部分を後ろにも設けた形となっている。このテール６の部分は、ボディを安定させる効果をもつ。特にボディが小型化した際、あるいはボディに対して頭部３の大きさが相対的に大きな場合に有効である。【００１３】  図７に示す。テール６の形状を幅広にする。胴部４の幅からはみ出すような形で、テール６を幅広とすることで、ボディを安定させる効果がより高まる。本考案は、小型化した場合にその運動を目でとらえることが困難な振動数で動くのであるが、その動きを安定したものとするのに役立つ。回転することを防ぐ効果もある。横に広がった部分を下向きに曲げる、すなわちテール６の部分を上に凸となるように曲げると、ボディを安定させる効果が高まると観察される。
ルアー釣りにおいては、その対象となる魚のサイズからして、二センチ程度をルアーの最小サイズと考えて良いのではないかと思われるのであるが、本考案はそのサイズにおいても極めて良く動く。さらに小さくすることも可能である。【００１４】  ボディを浮力体とする。本考案は、金属などのプレートを曲げて作ることを製作の起点としているのであるが、金属に代えて木あるいは中空のプレスチックなどとすることで、浮力を有するルアーとできる。ウエイトを軽くするれば、フローティングタイプともなる。その場合でも、本考案の良く動くという特性はある程度保存される。
あるいは、図１から図４に示したタイプの胴部の上側に浮力体を付加する。
【産業上の利用可能性】
【００１５】  船釣りで用いる集魚板やトローリングなどで用いる潜行板としても利用できるかもしれない。
【符号の説明】
【００１６】１  括れ部
２  ラインアイ
３  頭部
４  胴部
５  フックアイ
６  テール
【図１】
0003169176.tif 000003
【図２】
0003169176.tif 000004
【図３】
0003169176.tif 000005
【図４】
0003169176.tif 000006
【図５】
0003169176.tif 000007
【図６】
0003169176.tif 000008
【図７】
0003169176.tif 000009